(57)【特許請求の範囲】
【請求項１】
記録紙をドラムの外周面に巻き付け画像を書き込む画像記録装置において、画像を記録する記録紙を外周面に巻き付けるドラム手段と、画像書き込み時、前記ドラム手段を書き込み速度で回転させる第１ドラム駆動手段と、前記記録紙を前記ドラム手段に密着させるスクイズローラ手段と、前記スクイズローラ手段を前記ドラム手段に対し密着位置と分離位置に変位するスクイズローラ変位手段と、前記記録紙の前記ドラム手段への供給時および前記記録紙の排出時に、前記スクイズローラ手段を介して前記ドラム手段を前記第１ドラム駆動手段による回転より低速で回転させる第２ドラム駆動手段と、を備えたことを特徴とする画像記録装置。
【発明の詳細な説明】
【０００１】
【発明の属する技術分野】
本発明は画像形成装置に係わり、さらに詳しくは、記録紙をドラムの外周面に巻き付け画像を書き込む画像記録装置に関する。
【０００２】
【従来の技術】
従来より、画像を記録する記録紙をドラムの外周面にスクイズローラで密着状態に巻きつかせ、ドラムを高速で回転させて画像を書き込み，また、記録紙の供給時および記録紙の排出時はドラムを低速で回転させている画像記録装置が知られている。
【０００４】
【発明が解決しようとする課題】
しかしながら、従来の技術の課題として、ドラムを高速回転と低速回転とで切り替えているため、高速回転時には低速回転の機構を分離する必要があり、機構が複雑なものとなっていた。
【０００６】
本発明は上記の課題に鑑みなされたもので、発明の目的は、記録紙の給紙、排出時に、ドラムを簡易な機構により低速で駆動できる画像形成装置を提供することにある。
【０００７】
【課題を解決するための手段】
上記の目的は次のような手段により達成される。即ち、記録紙をドラムの外周面に巻き付け画像を書き込む画像記録装置において、画像を記録する記録紙を外周面に巻き付けるドラム手段と、画像書き込み時、前記ドラム手段を書き込み速度で回転させる第１ドラム駆動手段と、前記記録紙を前記ドラム手段に密着させるスクイズローラ手段と、前記スクイズローラ手段を前記ドラム手段に対し密着位置と分離位置に変位するスクイズローラ変位手段と、前記記録紙の前記ドラム手段への供給時および前記記録紙の排出時に、前記スクイズローラ手段を介して前記ドラム手段を前記第１ドラム駆動手段による回転より低速で回転させる第２ドラム駆動手段と、を備えたことを特徴とする画像記録装置。
【０００９】
【発明の実施の形態】
本発明の実施形態を図面に基づき説明する。
【００１０】
（実施形態１）
図１は本発明の実施形態の全体構成図で、図２はドラムとスクイズローラの構成斜視図、図３は他の実施形態のドラムとスクイズローラの構成図である。図１で、カートリッジ１２は記録紙Ｐが収納されたカートリッジである。記録紙Ｐはこの実施形態ではカラ−印画紙である。カッタ１１は記録紙Ｐを所定長さにカットする。また、ドラム手段はドラムの外周面に記録紙Ｐを巻き付けるようになっており、ドラム２１の外周面で記録紙Ｐと当接する部分を除き、且つスクイズローラ３１と圧接する部分が粗な面２１Ａとなっている（図２）。なお、ドラムには記録紙を真空吸着するようになっている。第１ドラム駆動手段４０は画像書き込み時にドラム２１を書き込み速度で回転させるようになっており、詳しくはモータ４１の回転が歯車列４２に伝達されドラム２１を回転させるようになっている。スクイズローラ手段であるスクイズローラ３１はバネ６３の力によりドラムに圧接して回転しながら、記録紙Ｐをドラム２１に密着させるようになっている。
【００１１】
次に、図２で、スクイズローラとドラムについてさらに詳しく説明する。スクイズローラ３１は合成ゴム材で、記録紙Ｐと当接する部分を除く外周面は粗な面３１Ａとなっている。また、ドラム２１は記録紙Ｐと当接する部分を除く外周面は粗な面２１Ａとなっている。この面２１Ａと面３１Ａとが少なくとも圧接し、この実施形態ではスクイズローラ３１よりドラム２１が回転駆動可能となっている。なお、ドラム２１よりスクイズローラ３１でもよい。
【００１２】
図３で、ドラムとスクイズローラの他の実施形態を説明する。図３（ａ）では合成ゴム材のスクイズローラ３２の記録紙Ｐとが当接する部分を除く外周面が粗な面３２Ａと、ドラム２２の記録紙Ｐと当接する部分を除く外周面の粗な面２２Ａとが少なくとも圧接しスクイズローラ３２よりドラム２２またはドラム２２よりスクイズローラ３２が回転駆動可能となっている。同様に、図３（ｂ）は、合成ゴム材のスクイズローラ３３の記録紙Ｐとが当接する部分を除く外径が中央部より大きい外周面の粗の面３３Ａと、ドラム２３の記録紙Ｐと当接する部分を除く外周面の粗の面２３Ａとが少なくとも圧接しスクイズローラ３３よりドラム２３またはドラム２３よりスクイズローラ３３が回転駆動可能となっている。
【００１３】
図１に戻り、説明を続けると、スクイズローラ変位手段はスクイズローラ３１をドラム２１より圧接、分離させる手段で、圧接はモータ６１の回転によりカム６２が回動し、レバー５３よりはなれ、バネ６３の力によりレバー５３を可動させて、スクイズローラ３１をドラム２１に圧接させ、また、分離は圧接と同様にして、モータ６１の回転によりカム６２が回動し、レバー５３をバネ６３に抗して可動させて、スクイズローラ３１をドラム２１より分離させるようになっている。
【００１４】
第２ドラム駆動手段５０はスクイズローラ３１によりドラム２１を回転するようになっており、モータ５１が回転すると、歯車列５２を介してレバー５３に設けられたプーリ５５を回転させ、ベルト５６を駆動させ、さらにプーリ５４を回転させてプーリ５４と一体のスクイズローラ３１を回転させるようになっている。そして、記録紙Ｐのドラム２１への供給時および、排出時には、スクイズローラ３１の回転によりドラム２１を低速で回転させる。
【００１５】
書き込み手段８０は３色のレーザー８１、８２の光線がハーフミラー８５により光路を曲げられ、レーザー８３の光線がミラー８４により光路を曲げられ、さらに合成され記録紙に照射して画像を書き込みむようになっている。剥離手段７０はドラム２１の外周面に密着している記録紙Ｐを剥がすようになっており、剥離のときは、剥離爪７１が可動部７２によりドラム２１に接近し、記録紙Ｐの先端部より剥離する。なお、剥離しないときは、剥離爪７１は可動部７２によりドラム２１より離れるようになっている。また、ローラ１４は排出ローラで記録紙Ｐを排出する。
【００１６】
ここで、画像の書込み動作を説明する。
【００１７】
１）記録紙の供給の動作；カートリッジ１２より、記録紙Ｐをローラ１３で引き出す。スクイズローラ３１で記録紙Ｐをドラム２１に密着させる。ここで、スクイズローラ３１を回転させ、低速でドラム２１を図で時計方向に回転させながら記録紙Ｐをドラムに図示しない真空吸着手段により吸引して密着させる。また、記録紙Ｐが所定長さ送られるとカッタ１１でカットする。ここで、スクイズローラ３１がドラム２１より離れる。
【００１８】
２）画像の書き込みの動作；ドラム２１を高速で回転させ、レーザー光線が図１の紙面で前後に移動してドラム上の記録紙Ｐに画像信号を書き込む。
【００１９】
３）記録紙の排出の動作；剥離爪７１をドラム２１側に近づける。スクイズローラ３１でドラムを回転させて、記録紙Ｐをドラムより剥がす。ローラ１４で記録紙Ｐを排出させる。なお、書き込まれた記録紙であるカラー印画紙は現像処理される。
【００２０】
（実施形態２）
実施形態２は、スクイズローラの回転駆動とスクイズローラのドラムからの分離の他の実施形態である。図４は本発明の他の実施形態の要部構成図である。
【００２１】
スクイズローラによるドラムの回転を説明すると、モータ６１が回転するとモータ６１の軸に固定された歯車Ｇ１が矢印の方向に回転する。すると、軸Ｊ１で回動自在の太陽歯車Ｇ２が矢印の方向に回転する。さらに、Ｇ２により軸Ｊ１で回動自在のレバー６４に設けられた遊星歯車Ｇ３が回転し軸Ｊ１中心に時計方向に公転して、ドラム２１と一体の歯車Ｇ４が矢印の方向に回転する。
【００２２】
今度は、スクイズローラ３１のドラム２１からの分離を説明すると、モータ６１が停止すると、太陽歯車Ｇ２、遊星歯車Ｇ３の回転が停止する。すると、バネ６５のバネ力により、軸Ｊ１で回動自在のレバー６４が反時計方向に回転し、ドラム２１と一体の歯車Ｇ４とスクイズローラ３１と一体の歯車Ｇ４が分離するようになっている。以上により、この場合、スクイズローラ３１をドラム２１に対し変位させるためのモータ等が不要となるメリットがある。
【００２３】
なお、従来よりドラムにスクイズローラを圧接させ、画像を記録する記録紙をドラムの外周面にスクイズローラで密着状態に巻きつかせる機構が知られているが、ドラムの外周面が光沢面となっており、ドラムとスクイズローラと摩擦による回転が不安定なものとなっていた。実施形態ではスクイズローラ手段の記録紙と当接する部分を除く外周面と、ドラム手段の記録紙と当接する部分を除く外周面とが少なくとも圧接しスクイズローラ手段よりドラム手段またはドラム手段よりスクイズローラ手段が回転駆動可能としたので、ドラムからスクイズローラ、または、スクイズローラからドラムを確実に駆動できる。
また、実施形態では画像形成装置としてカラーのレーザー書き込み装置について説明したが、モノクロ（白黒）のレーザー書き込み装置でもよく、また、普通紙にインクジェット方式で画像書込みを行うものであってもよい。
【００２４】
【発明の効果】
以上のように構成したので下記の効果を奏する。画像を記録する記録紙を外周面に巻き付けるドラム手段と、画像書き込み時、前記ドラム手段を書き込み速度で回転させる第１ドラム駆動手段と、前記記録紙を前記ドラム手段に密着させるスクイズローラ手段と、前記ドラム手段の密着位置と分離位置に前記スクイズローラ手段を変位するスクイズローラ変位手段と、前記記録紙の前記ドラム手段への供給時および前記記録紙の排出時に、前記スクイズローラ手段を介して前記ドラム手段を前記第１ドラム駆動手段より低速で回転させる第２ドラム駆動手段とを備えたので、記録紙の給紙、排出時に、ドラムを低速で簡易な機構により駆動できる。
【図面の簡単な説明】
【図１】本発明の実施形態の全体構成図である。
【図２】ドラムとスクイズローラの構成斜視図である。
【図３】他の実施形態のドラムとスクイズローラの構成図である。
【図４】本発明の他の実施形態の要部構成図である。
【符号の説明】
１３，１４  ローラ
２１，２２，２３  ドラム
２１Ａ，２２Ａ，２３Ａ  面
３１，３２，３３  スクイズローラ
３１Ａ，３２Ａ，３３Ａ  面
４０  第１ドラム駆動手段
４１  モータ
４２  歯車列
５０  第２ドラム駆動手段
５１  モータ
５２  歯車列
６０  スクイズローラ変位手段
７１  剥離爪
７２  可動部
８０  書き込み手段
８１  レーザー
Ｇ１  歯車
Ｇ２  太陽歯車
Ｇ３  遊星歯車
Ｐ  記録紙
【図１】
0003747555.tif 000002
【図２】
0003747555.tif 000003
【図３】
0003747555.tif 000004
【図４】
0003747555.tif 000005